Podtech/llm-jp-corpus-v4-ja_patent huggingface dataset:
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
装飾的な巻き付けラベルが設けられた容器を熱成形によって製造するための装置であって、前記装置は、内側表面（２９，１２９）と、軸方向開口（２８Ａ，１２８Ａ）と、前記開口の反対側にある移動端壁と、を有する少なくとも１つの熱成形チャンバ（２８，１２８）を有するモールドブロック（２４，２６）、および、少なくとも１つの巻き付けラベル挿入チャンバ（３６）と、装飾的な巻き付けラベル（３８）を前記軸方向開口（２８Ａ，１２８Ａ）を通じて前記熱成形チャンバ（２８）内に押し込むために前記巻き付けラベル挿入チャンバ（３６）内で移動するように取り付けられたピストン（４２）と、を有する巻き付けラベル挿入ブロック（３２，３４）、を含み；
前記端壁（４０，１４０）は、前記チャンバ（２８，１２８）の端区域（２８Ｂ，１２８Ｂ）内を配置用高レベル位置と少なくとも１つの熱成形用低レベル位置との間で移動するように構成されており、前記配置用高レベル位置において前記端壁は前記熱成形チャンバに配置される巻き付けラベルの下端用の当接部を規定でき、前記装置は、前記端壁（４０，１４０）上に存するフィン（４２）であって前記端区域（２８Ｂ，１２８Ｂ）の前記内側表面におけるノッチ（４４）に噛み合わされるフィン（４２）を備える少なくとも１つの舌部−溝部対を有することを特徴とする、装置。
【請求項２】
前記ノッチ（４４）は、前記高レベル位置で終端していることを特徴とする、請求項１に記載の装置。
【請求項３】
前記チャンバ（２８，１２８）の前記端区域（２８Ｂ，１２８Ｂ）の前記内側表面は、前記高レベル位置において、前記低レベル位置に比べて大きい径方向寸法（ＤＨ）を有し、横方向について測定した前記ノッチ（４４）の深さは、前記高レベル位置において、前記低レベル位置に比べて小さいことを特徴とする、請求項１または２に記載の装置。
【請求項４】
前記フィン（４２）は、前記ノッチ（４４）が形成された前記端区域（２８Ｂ，１２８Ｂ）の前記低レベル位置の前記内側表面の径方向寸法（Ｄ２８）と類似の径方向寸法（Ｄ４０）を有する前記端壁（４０，１４０）の輪郭（４０Ａ，４０Ｂ）から横方向に突出していることを特徴とする、請求項１〜３のいずれか一項に記載の装置。
【請求項５】
前記装置は、周方向に分布する複数の舌部−溝部対（４２，４４）を有することを特徴とする、請求項１〜４のいずれか一項に記載の装置。
【請求項６】
前記舌部−溝部対は、前記端壁（１４０）の周縁（１４０Ａ）に均等に分布する複数のフィン（４２）であって前記端区域（１２８Ｂ）の前記内側表面に均等に分布する複数のノッチ（４４）に噛み合わされる複数のフィン（４２）を備えることを特徴とする、請求項１〜４のいずれか一項に記載の装置。
【請求項７】
前記端壁（１４０）は、異なる深さの容器（１５０Ａ，１５０Ｂ，１５０Ｃ）を熱成形するための複数の熱成形用低レベル位置をとるように構成されていることを特徴とする、請求項１〜６のいずれか一項に記載の装置。
【請求項８】
フィン（４２）の厚さ（ｅ）は０．３ｍｍ〜１ｍｍの範囲にあり、好ましくは実質的に０．５ｍｍに等しく、前記フィンを受けるノッチ（４４）の幅（ｌ）は、前記フィンの厚さに、０．１ｍｍ〜０．３ｍｍ程度の範囲、好ましくは実質的に０．２ｍｍに等しいクリアランスを加算したものに等しいことを特徴とする、請求項１〜７のいずれか一項に記載の装置。
【請求項９】
前記チャンバ（２８，１２８）の前記内側表面（２９，１２９）は、前記高レベル位置と前記軸方向開口（２８Ａ，１２８Ａ）との間に位置する吸引部（２９Ａ，１２９Ａ）を含むことを特徴とする、請求項１〜８のいずれか一項に記載の装置。
【請求項１０】
装飾的な巻き付けラベルが設けられた容器を、内側表面（２９，１２９）と、軸方向開口（２８Ａ，１２８Ａ）と、前記開口の反対側にある移動端壁と、を有する熱成形チャンバ（２８，１２８）を含むモールドブロックを用いて、熱成形によって製造する方法であって、前記方法は、前記軸方向開口（２８Ａ，１２８Ａ）を通じて前記熱成形チャンバ（２８）内に装飾的な巻き付けラベル（３８）を押し込むことと、前記軸方向開口を介して前記チャンバ内に熱成形プラスチック材料を押し込むことによって前記熱成形チャンバ（２８，１２８）内で容器を熱成形することと、を備え；
前記熱成形チャンバ内で前記容器を熱成形する前に、前記方法は、前記端壁（４０，１４０）上に存し前記チャンバ（２８，１２８）の端区域（２８Ｂ，１２８Ｂ）の前記内側表面におけるノッチ（４４）に噛み合わされる少なくとも１つのフィン（４２）と前記巻き付けラベルとを協働させることによって前記巻き付けラベルを前記熱成形チャンバ内に配置するという態様で前記端壁（４０，１４０）を前記端区域（２８Ｂ，１２８Ｂ）における配置用高レベル位置に配置することと、その後に、前記容器を熱成形するための熱成形用低レベル位置に前記端壁を配置することと、をさらに備えることを特徴とする、方法。
【請求項１１】
前記熱成形チャンバ内で前記容器を熱成形する前に、前記方法は、後退した低レベル位置に前記端壁（４０，１４０）を配置することと、前記端壁に対向する前記巻き付けラベル（３８）の端（３８Ａ）が前記フィン（４２）のレベル位置に達するまで前記軸方向開口（２８Ａ，１２８Ａ）を通じて前記熱成形チャンバ（２８）内に装飾的な前記巻き付けラベル（３８）を押し込むことと、その後に、前記巻き付けラベル（３８）が前記熱成形チャンバ内に配置されるように前記配置用高レベル位置に前記端壁（４０，１４０）を運ぶことによって前記端壁（４０，１４０）を移動させることと、をさらに備えることを特徴とする、請求項１０に記載の方法。
【請求項１２】
装飾的な前記巻き付けラベル（３８）の配置後に、前記方法は、具体的には吸引によって、前記熱成形チャンバの前記内側表面の位置に前記巻き付けラベルを保持することをさらに備えることを特徴とする、請求項１０または１１に記載の方法。
【請求項１３】
前記方法は、異なる深さの容器（１５０Ａ，１５０Ｂ，１５０Ｃ）を熱成形するための別々の異なる熱成形用低レベル位置に前記端壁（１４０）を配置することをさらに備えることを特徴とする、請求項１０〜１２のいずれか一項に記載の方法。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
EBV特異的T細胞を含む同種異系T細胞の集団を含む、ヒト患者におけるEBV-LPD（エプスタイン-バーウイルス関連リンパ増殖性障害）を治療するための医薬組成物であって、該EBV-LPDが、B細胞系譜の細胞の障害であり、該ヒト患者が、(a)該EBV-LPDを治療するための併用化学療法、(b)該EBV-LPDを治療するための抗CD20モノクローナル抗体を用いる療法、及び(c)該EBV-LPDを治療するための放射線療法に失敗しており、かつ該同種異系T細胞の集団が、該EBV-LPDの細胞と共通のヒト白血球抗原（HLA）対立遺伝子によって拘束されている、前記医薬組成物。
【請求項２】
前記EBV-LPDが、EBV陽性リンパ腫である、請求項1記載の医薬組成物。
【請求項３】
前記EBV-LPDが、びまん性大細胞型B細胞リンパ腫である、請求項1又は2記載の医薬組成物。
【請求項４】
前記EBV-LPDが、該EBV-LPDを治療するための前記抗CD20モノクローナル抗体を用いる療法に抵抗性である、請求項1〜3のいずれか1項記載の医薬組成物。
【請求項５】
前記抗CD20モノクローナル抗体が、リツキシマブである、請求項1〜4のいずれか1項記載の医薬組成物。
【請求項６】
前記EBV-LPDが、該EBV-LPDを治療するための前記併用化学療法に抵抗性である、請求項1〜5のいずれか1項記載の医薬組成物。
【請求項７】
前記ヒト患者が、前記EBV-LPDを治療するための複数の異なる併用化学療法に失敗している、請求項1〜6のいずれか1項記載の医薬組成物。
【請求項８】
前記EBV-LPDが、該EBV-LPDを治療するための複数の異なる併用化学療法に抵抗性である、請求項7記載の医薬組成物。
【請求項９】
前記EBV-LPDが、該EBV-LPDを治療するための前記放射線療法に抵抗性である、請求項1〜8のいずれか1項記載の医薬組成物。
【請求項１０】
前記EBV-LPDが、前記ヒト患者の中枢神経系に存在する、請求項1〜9のいずれか1項記載の医薬組成物。
【請求項１１】
前記EBV-LPDが、前記ヒト患者の脳内に存在する、請求項10記載の医薬組成物。
【請求項１２】
前記ヒト患者が、移植ドナーからの固形臓器移植のレシピエントである、請求項1〜11のいずれか1項記載の医薬組成物。
【請求項１３】
前記ヒト患者が、移植ドナーからの造血幹細胞移植のレシピエントである、請求項1〜11のいずれか1項記載の医薬組成物。
【請求項１４】
前記同種異系T細胞の集団が、前記移植ドナー以外のドナーに由来する、請求項12又は13記載の医薬組成物。
【請求項１５】
前記ヒト患者が、HIVに感染している、請求項1〜11のいずれか1項記載の医薬組成物。
【請求項１６】
前記治療が、前記ヒト患者に前記同種異系T細胞の集団を投与した後に、該ヒト患者にEBV特異的T細胞を含む第2の同種異系T細胞の集団を投与することを含み、ここで該第2の同種異系T細胞の集団は、前記EBV-LPDの細胞と共通の異なるHLA対立遺伝子によって拘束されている、請求項1〜15のいずれか1項記載の医薬組成物。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
哺乳動物ITGa3に特異的に結合する単離された抗体またはその抗原結合断片(AB)であって、該ABがヒトITGa3およびカニクイザルITGa3に特異的に結合する、前記抗体またはその抗原結合断片(AB)。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
水混和性有機溶媒中に溶解した水難溶性のキナーゼ阻害薬を含む、注射可能な組成物であって、
前記組成物における前記キナーゼ阻害薬の濃度は、少なくとも２００μｇ／ｍＬであり、および
前記組成物における前記キナーゼ阻害薬の濃度は、３７℃の水における前記キナーゼ阻害薬の溶解度よりも少なくとも１００倍高い、
注射可能な組成物。
【請求項２】
前記組成物における前記キナーゼ阻害薬の濃度は、少なくとも８００μｇ／ｍＬである、請求項１に記載の注射可能な組成物。
【請求項３】
前記組成物における前記キナーゼ阻害薬の濃度は、３７℃の水における前記キナーゼ阻害薬の溶解度よりも少なくとも２００倍高い、請求項１または２に記載の注射可能な組成物。
【請求項４】
水における前記キナーゼ阻害薬の溶解度は、１０μｇ／ｍＬ未満である、請求項１〜３のいずれか一項に記載の注射可能な組成物。
【請求項５】
前記有機溶媒は、エタノールである、請求項１〜４のいずれか一項に記載の注射可能な組成物。
【請求項６】
前記キナーゼ阻害薬は、バフェチニブ、ボスチニブ、ダサチニブ、イマチニブ、ニロチニブ、ポナチニブ、ラドチニブ、およびＳＵ６６５６から選択される、請求項１〜５のいずれか一項に記載の注射可能な組成物。
【請求項７】
前記キナーゼ阻害薬は、アパチニブ、アキシチニブ、カボザンチニブ、セディラニブ、クレノラニブ、フォレチニブ、レンバチニブ、リニファニブ、マシチニブ、モテサニブ、ニンテダニブ、パゾパニブ、ペガプタニブ、レゴラフェニブ、セマキサニブ、ソラフェニブ、スニチニブ、チボザニブ、トセラニブ、バンデタニブ、およびバタラニブから選択される、請求項１〜６のいずれか一項に記載の注射可能な組成物。
【請求項８】
前記キナーゼ阻害薬は、ソラフェニブである、請求項１〜７のいずれか一項に記載の注射可能な組成物。
【請求項９】
前記キナーゼ阻害薬は、ソラフェニブであり、および
前記キナーゼ阻害薬の濃度は、約８００μｇ／ｍＬ〜約４０００μｇ／ｍＬである、
請求項８に記載の注射可能な組成物。
【請求項１０】
前記組成物は液体である、請求項１〜９のいずれか一項に記載の注射可能な組成物。
【請求項１１】
請求項１〜１０のいずれか一項に記載の注射可能な組成物を含む、バイアル。
【請求項１２】
約５０μＬ〜約５００μＬの前記注射可能な組成物を含む、請求項１１に記載のバイアル。
【請求項１３】
約５０μｇ〜約１０００μｇのソラフェニブを含む、請求項１１または１２に記載のバイアル。
【請求項１４】
前記バイアルは、ガラスである、請求項１１〜１３のいずれか一項に記載のバイアル。
【請求項１５】
請求項１〜１０のいずれか一項に記載の注射可能な組成物を含む注射器。
【請求項１６】
約５０μＬ〜約５００μＬの前記注射可能な組成物を含む、請求項１５に記載の注射器。
【請求項１７】
約５０μｇ〜約１０００μｇのソラフェニブを含む、請求項１５または１６に記載の注射器。
【請求項１８】
前記注射器は、約５０μＬ〜約１ｍＬの容積を有する、請求項１５〜１７のいずれか一項に記載の注射器。
【請求項１９】
前記注射器は、ガラス、ポリプロピレン、またはポリテトラフルオロエチレンを含む、請求項１５〜１８のいずれか一項に記載の注射器。
【請求項２０】
フィルターをさらに含む、請求項１５〜１９のいずれか一項に記載の注射器。
【請求項２１】
前記フィルターは、約０．２μｍ〜約５μｍの孔径を有する孔を含む、請求項２０に記載の注射器。
【請求項２２】
前記フィルターは、フィルターニードルである、請求項２０または２１に記載の注射器。
【請求項２３】
ニードルをさらに含む、請求項１５〜２１のいずれか一項に記載の注射器。
【請求項２４】
ニードルは、ステンレス鋼のような金属を含む、請求項２３に記載の注射器。
【請求項２５】
前記ニードルは、長さ約０．２５インチ〜長さ約１．０インチである、請求項２２〜２４のいずれか一項に記載の注射器。
【請求項２６】
前記ニードルは、長さ約０．５インチである、請求項２５に記載の注射器。
【請求項２７】
前記ニードルは、約２８ゲージ〜約３３ゲージである、請求項２２〜２６のいずれか一項に記載の注射器。
【請求項２８】
前記ニードルは、２９ゲージ、３０ゲージ、３１ゲージ、または３２ゲージである、請求項２７に記載の注射器。
【請求項２９】
請求項１１〜１４のいずれか一項に記載のバイアルおよび注射器を含む、キット。
【請求項３０】
対象における眼の疾患を予防または治療するために使用する注射可能な組成物であり、
前記組成物は、適宜、前記眼の硝子体の中へ１０μＬ〜１００μＬ、又は５０μＬの前記組成物を注射するためのものであり、及び／又は、
前記眼の中へ注射する前に、前記組成物は、濾過され、適宜、フィルターニードルを通じて前記組成物を引き抜くことにより前記組成物は、濾過され、及び／又は、
前記対象は、齧歯類、ウサギ、ヒツジ、ブタ、イヌ、ネコ、ウマ、ウシ、および霊長類から選択され、適宜、ヒトから選択され、及び／又は、
前記対象は、滲出型加齢黄斑変性を発症する危険があり、及び／又は、
前記対象は、地図状萎縮の危険があり、及び／又は、
前記対象は、失明を発症する危険があり、及び／又は、
対象における前記眼の疾患は、加齢性黄斑変性症であり、及び／又は、
対象における前記眼の疾患は、非滲出型黄斑変性症であり、及び／又は、
対象における前記眼の疾患は、非滲出型加齢黄斑変性症であり、及び／又は、
対象における前記眼の疾患は、滲出型黄斑変性症であり、及び／又は、
対象における前記眼の疾患は、滲出型加齢黄斑変性症であり、及び／又は、
対象における前記眼の疾患は、地図状萎縮であり、及び／又は、
対象における前記眼の疾患は、失明であり、及び／又は、
対象における前記眼の疾患は、網膜静脈閉塞症であり、適宜、前記対象は、非虚血性網膜静脈閉塞症、又は虚血性網膜静脈閉塞症に罹患している、
請求項１〜１０のいずれか一項に記載の注射可能な組成物。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
式Ｉ：
【化１】
2018520100.tif 000001
の化合物またはその薬学的に許容される塩
（式中、
Ｒ４は、ＦまたはＣＨ３であり、
Ｒ５は、Ｈであるか、または０個、１個、２個もしくは３個のＦで置換されたＣ１〜Ｃ４アルキルであり、
ｎは、０、１、２または３である）。
【請求項２】
ｎは０または１である、請求項１に記載の化合物またはその薬学的に許容される塩。
【請求項３】
式ＩＩ：
【化２】
2018520100.tif 000002
の化合物である、請求項１または２に記載の化合物またはその薬学的に許容される塩。
【請求項４】
式ＩＩａ、式ＩＩｂ、式ＩＩｃ、式ＩＩｄ、式ＩＩｅおよび式ＩＩｆ：
【化３】
2018520100.tif 000003
の化合物からなる群から選択される、請求項３に記載の化合物またはその薬学的に許容される塩。
【請求項５】
式ＩＩＩ：
【化４】
2018520100.tif 000004
の化合物である、請求項１または２に記載の化合物またはその薬学的に許容される塩。
【請求項６】
式ＩＩＩａ、式ＩＩＩｂ、式ＩＩＩｃ、式ＩＩＩｄおよび式ＩＩＩｅ：
【化５】
2018520100.tif 000005
の化合物からなる群から選択される、請求項５に記載の化合物またはその薬学的に許容される塩。
【請求項７】
Ｒ４はＦである、請求項１〜６のいずれか１項に記載の化合物またはその薬学的に許容される塩。
【請求項８】
Ｒ５はＨである、請求項１〜７のいずれか１項に記載の化合物またはその薬学的に許容される塩。
【請求項９】
（−）−３−［（２，３−ジフルオロフェニル）（フルオロ）メチル］アゼチジン、
（＋）−３−［（２，３−ジフルオロフェニル）（フルオロ）メチル］アゼチジン、
（−）−３−［（３，５−ジフルオロフェニル）（フルオロ）メチル］アゼチジン、
（＋）−３−［（３，５−ジフルオロフェニル）（フルオロ）メチル］アゼチジン、
３−［（３，４−ジフルオロフェニル）（フルオロ）メチル］アゼチジン、
３−［（２，５−ジフルオロフェニル）（フルオロ）メチル］アゼチジン、
３−［（２，６−ジフルオロフェニル）（フルオロ）メチル］アゼチジン、
３−［（２，４−ジフルオロフェニル）（フルオロ）メチル］アゼチジン、
３−［フルオロ（２，３，５−トリフルオロフェニル）メチル］アゼチジン、
３−［フルオロ（２，４，６−トリフルオロフェニル）メチル］アゼチジン、
３−［フルオロ（２，３，４−トリフルオロフェニル）メチル］アゼチジン、
３−［フルオロ（３，４，５−トリフルオロフェニル）メチル］アゼチジン、
３−［（３，５−ジフルオロフェニル）（フルオロ）メチル］アゼチジン、
３−［（２，３−ジフルオロフェニル）（フルオロ）メチル］アゼチジン、
３−［（２，３−ジフルオロフェニル）（フルオロ）メチル］−１−メチルアゼチジ  ン、
３−［（２，３−ジフルオロフェニル）（フルオロ）メチル］−１−エチルアゼチジン、
３−［（２，３−ジフルオロフェニル）（フルオロ）メチル］−１−プロピルアゼチジン、
３−［（３，５−ジフルオロフェニル）（フルオロ）メチル］−１−メチルアゼチジン、
３−［（３，５−ジフルオロフェニル）（フルオロ）メチル］−１−エチルアゼチジン、
３−［（３，５−ジフルオロフェニル）（フルオロ）メチル］−１−プロピルアゼチジン、
３−［フルオロ（２，３，５−トリフルオロフェニル）メチル］−１−メチルアゼチジン、
１−エチル−３−［フルオロ（２，３，５−トリフルオロフェニル）メチル］アゼチジン、
３−［フルオロ（２，３，５−トリフルオロフェニル）メチル］−１−プロピルアゼチジン、
１−エチル−３−［フルオロ（２，３，４−トリフルオロフェニル）メチル］アゼチジン、
３−［フルオロ（２，３，４−トリフルオロフェニル）メチル］−１−プロピルアゼチジン、
１−エチル−３−［フルオロ（３，４，５−トリフルオロフェニル）メチル］アゼチジン、
３−［フルオロ（３，４，５−トリフルオロフェニル）メチル］−１−プロピルアゼチジン、
３−［フルオロ（２，３，５，６−テトラフルオロルフェニル）メチル］アゼチジン、
３−［フルオロ（ペンタフルオロフェニル）メチル］アゼチジン、
３−［フルオロ（２，３，５，６−テトラフルオロフェニル）メチル］−１−メチルアゼチジン、
１−エチル−３−［フルオロ（２，３，５，６−テトラフルオロフェニル）メチル］−アゼチジン、および
３−［フルオロ（２，３，５，６−テトラフルオロフェニル）メチル］−１−プロピルアゼチジンである、請求項１に記載の化合物、または前述の化合物のいずれかの薬学的に許容される塩。
【請求項１０】
（−）−３−［（２，３−ジフルオロフェニル）（フルオロ）メチル］アゼチジンである、請求項１に記載の化合物、または前述の化合物のいずれかの薬学的に許容される塩。
【請求項１１】
（−）−３−［（３，５−ジフルオロフェニル）（フルオロ）メチル］アゼチジンである、請求項１に記載の化合物、または前述の化合物のいずれかの薬学的に許容される塩。
【請求項１２】
（−）−３−［フルオロ（２，３，５−トリフルオロフェニル）メチル］アゼチジンである、請求項１に記載の化合物、または前述の化合物のいずれかの薬学的に許容される塩。
【請求項１３】
式Ｉの化合物は（−）−エナンチオマーである、請求項１〜１２のいずれか１項に記載の化合物またはその薬学的に許容される塩。
【請求項１４】
化合物が、重水素、トリチウム、１１Ｃ、１４Ｃ、１８Ｏ、１７Ｏ、１９Ｆおよび１８Ｆからなる群から選択される同位体で標識化される、請求項１〜１３のいずれか１項に記載の化合物またはその薬学的に許容される塩。
【請求項１５】
請求項１〜１４のいずれか１項に記載の化合物またはその薬学的に許容される塩の治療有効量を、少なくとも１種の薬学的に許容される担体、賦形剤および／または希釈剤と一緒に含む医薬組成物。
【請求項１６】
医薬としての使用のための、請求項１〜１４のいずれか１項に記載の化合物または薬学的に許容される塩。
【請求項１７】
大脳皮質におけるモノアミンのモジュレーションに応答性を有する疾患、障害および／または状態の処置および／または予防のための医薬の製造のための、請求項１〜１４のいずれか１項に記載の化合物の使用であって、前記疾患、障害および／または状態は、認知症、年齢関連性認知機能欠損、神経変性障害および／または神経変性疾患に関連する認知機能欠損、自閉症スペクトラム障害、感情障害、統合失調症、不安障害、注意欠陥多動性障害（ＡＤＨＤ）ならびに動作障害からなる群から選択される、前記使用。
【請求項１８】
前記疾患、障害および／または状態は、認知症、年齢関連性認知機能欠損および統合失調症からなる群から選択される、請求項１７に記載の使用。
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
車両速度の制御方法であって、
繰返行程ロガーで追跡された車両が辿った複数の経路に沿う前記車両の複数の速度プロファイルを記録し、
ナビゲーション・システムからの計画経路データに基づいて、及び／または、前記繰返行程ロガーからのデータに基づいて、少なくとも想定経路の一部を特定し、
前記想定経路、及び、その経路に沿った前の複数の行程の前記複数の速度プロファイルに基づいて、最適な制動または加速点を決定し、
（ｉ）前記最適な制動または加速点に基づいて、運転者に前記速度プロファイルを調整するためのサインを送り、及び／または、（ｉｉ）前記最適な制動または加速点に基づいて、前記車両の前記速度プロファイルを調整することを特徴とする車両速度の制御方法。
【請求項２】
車両速度の制御方法であって、
ナビゲーション・システムからの計画経路データに基づいて、及び／または、繰返行程ロガーからのデータに基づいて、少なくとも想定経路の一部を特定し、
前記想定経路に基づいて、最適な制動または加速点を決定し、
前記最適な制動または加速点に基づいて、運転者に車両速度を調整するためのサインを送ることを特徴とする車両速度の制御方法。
【請求項３】
前記最適な制動または加速点を決定するステップは、繰返行程ロガーで記録された、経路に沿った前の複数の行程の複数の速度プロファイルにも基づく請求項２に記載の車両速度の制御方法。
【請求項４】
前記最適な制動または加速点を決定するために、最も近い時刻及び／または曜日に実行された前の複数の行程を選択することを含む請求項１または３に記載の車両速度の制御方法。
【請求項５】
前記車両の進路上の障害物を検知するステップをさらに含み、
前記最適な制動または加速点の決定は、前記進路上に前記障害物が存在するか否かにも基づく請求項１乃至４のいずれか１項に記載の車両速度の制御方法。
【請求項６】
前記車両の進路上に存在する物体の速度及び加速度／減速度も検知するようになっており、
前記最適な制動または加速点の決定は、前記障害物の前記速度及び／または前記加速度／減速度にも基づく請求項５に記載の車両速度の制御方法。
【請求項７】
さらに、前記想定経路の一部に沿った交通の存在、及び、任意に前記交通の速度を示す交通情報を取得し、
前記交通の存在、及び、任意に前記交通の速度に基づいて、前記最適な制動または加速点を決定する請求項１乃至６のいずれか１項に記載の車両速度の制御方法。
【請求項８】
請求項１乃至７のいずれか１項に記載の制御方法を実行する手段を備えた、または、請求項１乃至７のいずれか１項に記載の制御方法を実行するように構成された制御システムを備えた車両。
【請求項９】
前記車両の現在の状況に基づいて、前記車両が辿るであろう経路の少なくとも一部を含む信号を出力する予測経路プランナと、
前記予測経路プランナから前記信号を受信し、前記信号に基づいて前記車両にとって最適な速度プロファイルを決定する制御ユニットとを備えた請求項８に記載の車両。
【請求項１０】
前記車両の進路上の障害物を検知し、前記障害物の存在を示す障害物対応信号を出力するセンサをさらに備え、
前記制御ユニットは、前記センサからの前記出力にも基づいて、最適な前記速度プロファイルを決定する請求項９に記載の車両。
【請求項１１】
交通の存在及び前記交通の位置、及び、任意に前記交通の速度を示す交通信号を出力する交通情報ユニットをさらに備え、
前記制御ユニットは、前記交通情報ユニットからの前記出力にも基づいて、最適な前記速度プロファイルを決定する請求項９または１０に記載の車両。
【請求項１２】
車両が辿った経路を記録し、現在の状況に基づいて、前の複数の行程で辿った経路を示す信号を出力する繰返行程ロガーをさらに備え、
前記制御ユニットは、前記繰返行程ロガーからの前記出力にも基づいて、最適な前記速度プロファイルを決定する請求項９乃至１１のいずれか１項に記載の車両。
【請求項１３】
前記繰返行程ロガーは、前の複数の行程の時刻のログを残す請求項１２に記載の車両。
【請求項１４】
前記繰返行程ロガーは、前の複数の行程の曜日のログを残す請求項１２または１３に記載の車両。
【請求項１５】
前記繰返行程ロガーは、前の複数の行程の速度プロファイルのログを残す請求項１２乃至１４のいずれか１項に記載の車両。
【請求項１６】
前記繰返行程ロガーは、前の複数の行程の動作モードのログを残す請求項１２乃至１５のいずれか１項に記載の車両。
【請求項１７】
前記繰返行程ロガーは、動作不能にすることが可能である請求項１２乃至１６のいずれか１項に記載の車両。
【請求項１８】
前記繰返行程ロガーは、動作モードを選択することで動作不能にする請求項１７に記載の車両。
【請求項１９】
前記制御ユニットは、前記最適な速度プロファイルに基づくサインを出力し、運転者が前記最適な速度プロファイルに従うように促す請求項８乃至１８のいずれか１項に記載の車両。
【請求項２０】
前記サインは、視覚的、可聴的、または触覚的なアラートである請求項１９に記載の車両。
【請求項２１】
前記触覚的なアラートは、アクセル及び／またはブレーキ・ペダルの抵抗の変化を含む請求項２０に記載の車両。
【請求項２２】
前記制御ユニットは、前記最適な速度プロファイルに従うために、前記車両を制御する電気的制御信号を出力する請求項８乃至２１のいずれか１項に記載の車両。
【請求項２３】
前記制御ユニットによる信号または信号出力の種類は、前記動作モードによる請求項１９乃至２２のいずれか１項に記載の車両。
【請求項２４】
前記繰返行程ロガー及び前記予測経路プランナは、目的地への計画経路、または、前記繰返行程ロガーで記録された前の複数の行程に基づく期待経路のいずれかを示す信号を出力する単一の期待経路計画ユニットに統合されている請求項１２に記載の車両。
【請求項２５】
前記期待経路計画ユニットによって出力された想定経路を示す信号は、現在時刻と、前記前の複数の行程のログが残された時刻を考慮する、または、
前記制御ユニットは、現在時刻と、前記繰返行程ロガーで前記前の複数の行程のログが残された時刻に基づいて前記想定経路を決定する請求項１２乃至２４のいずれか１項に記載の車両。
【請求項２６】
前記期待経路計画ユニットによって出力された想定経路を示す信号は、現在の曜日と、前記前の複数の行程のログが残された曜日を考慮する、または、
前記制御ユニットは、現在の曜日と、前記繰返行程ロガーで前記前の複数の行程のログが残された曜日に基づいて前記想定経路を決定する請求項１２乃至２５のいずれか１項に記載の車両。
【請求項２７】
自動車である請求項８乃至２６のいずれか１項に記載の車両。
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
アンダーボディシールド組成物であって、
熱可塑性ポリマーで互いに結合した強化繊維の不規則な交差が画定する、連続気泡構造ウェブを含む熱可塑性コア層と、前記熱可塑性コア層は更に、熱にさらした際に前記コア層の厚みを増加させて膨張後のコア層を提供可能な膨張剤を含み、
前記コア層の第１表面上に配置されたフィルムと、を含み、
前記膨張後のコア層及びフィルムは共に、前記フィルムへの損傷を受けずに、ＳＡＥ  Ｊ４００の手順に従った少なくとも５０個の個々の衝撃物に耐えることが可能なアンダーボディシールド物品を提供する、前記アンダーボディシールド組成物。
【請求項２】
前記フィルムはホモポリマーフィルムまたはコポリマーフィルムである、請求項１に記載のアンダーボディシールド組成物。
【請求項３】
前記ホモポリマーはポリオレフィンである、請求項２に記載のアンダーボディシールド組成物。
【請求項４】
前記熱可塑性ポリマーは、前記コア層内において５０重量パーセント以上で存在する、請求項１に記載のアンダーボディシールド組成物。
【請求項５】
前記フィルムは少なくとも１０ミルの厚みである、請求項４に記載のアンダーボディシールド組成物。
【請求項６】
前記膨張剤は、前記コア層内において４重量パーセント以上で存在する、請求項５に記載のアンダーボディシールド組成物。
【請求項７】
前記強化繊維は、ガラス繊維、炭素繊維、黒鉛繊維、合成有機繊維、無機繊維、天然繊維、鉱物繊維、金属繊維、金属無機繊維、金属合成繊維、セラミック繊維、及びこれらの組み合わせからなる群から選択される、請求項６に記載のアンダーボディシールド組成物。
【請求項８】
前記熱可塑性ポリマーは、ポリオレフィン樹脂、熱可塑性ポリオレフィン配合樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキサイド樹脂、ポリフェニレンサルファイド樹脂、ポリエーテル樹脂、ポリエーテルケトン樹脂、ポリアセタール樹脂、ポリウレタン樹脂、ポリベンズイミダゾール樹脂、及びコポリマー、ならびにこれらの組み合わせからなる群から選択されるポリマー樹脂である、請求項７に記載のアンダーボディシールド組成物。
【請求項９】
前記熱可塑性コア層は、ポリプロピレン、ガラス繊維、及び微粒子状の膨張剤を含み、前記フィルムはポリプロピレンホモポリマーフィルムである、請求項１に記載のアンダーボディシールド組成物。
【請求項１０】
前記フィルムは、介在層または介在材料を何ら設けずに、前記コア層の前記第１表面上に直接配置される、請求項９に記載のアンダーボディシールド組成物。
【請求項１１】
前記コア層の前記第１表面の反対側にある前記コア層の第２表面上に配置されたスクリムを更に含む、請求項１に記載のアンダーボディシールド組成物。
【請求項１２】
前記スクリムは、ガラス繊維、アラミド繊維、黒鉛繊維、炭素繊維、無機鉱物繊維、金属繊維、金属合成繊維、及び金属無機繊維を含む、請求項１１に記載のアンダーボディシールド組成物。
【請求項１３】
前記スクリム上に配置された別のスキン層を更に含む、請求項１１に記載のアンダーボディシールド組成物。
【請求項１４】
前記熱可塑性コア層は、ポリプロピレン、ガラス繊維、及び微粒子状の膨張剤を含み、前記フィルムはポリプロピレンホモポリマーフィルムであり、前記スクリムはポリエステル不織布スクリムである、請求項１１に記載のアンダーボディシールド組成物。
【請求項１５】
前記フィルムは、介在層または介在材料を何ら設けずに、前記コア層の前記第１表面上に直接配置され、前記スクリムは、介在層または介在材料を何ら設けずに、前記コア層の前記第２表面上に直接配置される、請求項１４に記載のアンダーボディシールド組成物。
【請求項１６】
前記スクリムは、１つまたは複数のストリップとして前記コア層の前記第２表面上に配置される、請求項１１に記載のアンダーボディシールド組成物。
【請求項１７】
前記コア層と接合した別のコア層を更に含み、前記別のコア層は、熱可塑性ポリマーで互いに結合した強化繊維の不規則な交差が画定する、連続気泡構造ウェブを含む、請求項１に記載のアンダーボディシールド組成物。
【請求項１８】
前記別のコア層は、前記別のコア層の厚みを増加可能な膨張剤を更に含む、請求項１７に記載のアンダーボディシールド組成物。
【請求項１９】
前記別のコア層は、前記コア層内に存在する熱可塑性材料の量よりも低い重量パーセントの熱可塑性材料を含む、請求項１７に記載のアンダーボディシールド組成物。
【請求項２０】
前記フィルムは、前記コア層の厚みを減少させる場合に、より多くの衝撃物に耐えるように構成されている、請求項１に記載のアンダーボディシールド組成物。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
表面実装デバイス（ＳＭＤ）倉庫を備える表面実装技術（ＳＭＴ）システムで使用するためのコンテナであって、
ＳＭＴジョブ関連物体を収容するための区画を形成する側壁および基部を有する外殻と、
前記区画を少なくとも部分的に閉じるように構成されたカバーと、
前記ＳＭＴジョブ関連物体についての情報を表示するためのディスプレイ・ユニットと、を備え、
前記コンテナは、前記コンテナが前記ＳＭＤ倉庫のアクチュエータによって運搬されることが可能であるように外形を有する、コンテナ。
【請求項２】
前記外殻が、部品テープ・リールの形状に合った形状を有する、請求項１に記載のコンテナ。
【請求項３】
複数のＳＭＴジョブ関連物体を収容するための複数の区画を備える、請求項１に記載のコンテナ。
【請求項４】
前記カバーは、前記区画に前記ＳＭＴジョブ関連物体を保持するための着脱可能な蓋である、請求項１に記載のコンテナ。
【請求項５】
前記ＳＭＴシステムにおける前記コンテナの一意の識別情報を含む識別情報タグをさらに備える、請求項１に記載のコンテナ。
【請求項６】
前記一意の識別情報は前記ＳＭＴジョブ関連物体と関連付けられる、請求項５に記載のコンテナ。
【請求項７】
前記識別情報タグはバーコードまたはＲＦＩＤタグを含む、請求項５に記載のコンテナ。
【請求項８】
前記ディスプレイ・ユニットは、前記ＳＭＴシステムのＳＭＴデータベースを検索して得られるＳＭＴジョブ関連情報を表示するようにさらに構成される、請求項１に記載のコンテナ。
【請求項９】
前記ディスプレイ・ユニットは、前記ＳＭＴシステムにおける前記コンテナの一意の識別情報と関連付けられる情報を表示するようにさらに構成される、請求項１に記載のコンテナ。
【請求項１０】
入力装置をさらに備える、請求項１に記載のコンテナ。
【請求項１１】
前記入力装置は、前記ディスプレイ・ユニットに表示される情報の変更をトリガするべく、前記ディスプレイ・ユニットに動作可能に接続されている、請求項１０に記載のコンテナ。
【請求項１２】
前記区画が、以下のＳＭＴジョブ関連物体：
プラスチック袋に入った部品、
部品リールを伴わない部品、
供給機が付属する部品リール上の部品
工具、
固定具、
ＪＥＤＥＣトレイ、
プリント回路板、および、
板支持体、
の少なくとも１つを収容可能であるように形状を有する、請求項１に記載のコンテナ。
【請求項１３】
請求項１に記載のコンテナと、
表面実装デバイス（ＳＭＤ）倉庫と、
表面実装技術（ＳＭＴ）データベースと、
コントローラと、を備える表面実装技術（ＳＭＴ）システムであって、
データベースは、前記ＳＭＴジョブ関連物体の識別情報と、前記コンテナの識別情報と、前記ＳＭＤ倉庫内の前記コンテナの収容場所と、を記憶するように構成される、表面実装技術（ＳＭＴ）システム。
【請求項１４】
前記コントローラは、入力データを前記コンテナに送信するように構成され、前記ディスプレイ・ユニットは、前記入力データを受信し該データに関連する情報を表示するように構成される、請求項１３に記載のＳＭＴシステム。
【請求項１５】
前記データは、進行中のＳＭＴジョブおよび次回のＳＭＴジョブの少なくとも一方と関連付けられる情報を含む、請求項１４に記載のＳＭＴシステム。
【請求項１６】
前記コンテナ、前記コントローラ、および前記ＳＭＤ倉庫のうちの少なくとも１つと、前記ＳＭＴデータベースとの間での情報の送信のための無線通信ネットワークをさらに備える、請求項１３に記載のＳＭＴシステム。
【請求項１７】
前記コントローラは、オペレータによる要求に対して前記データを送信するように構成される、請求項１５に記載のＳＭＴシステム。
【請求項１８】
前記データが、ある切替え工程、補充作業またはキッティング作業と関連付けられる、請求項１４に記載のＳＭＴシステム。
【請求項１９】
複数のコンテナを備え、該複数のコンテナはスタック可能である、請求項１３に記載のＳＭＴシステム。
【請求項２０】
各コンテナは、１つ以上の方向ピンと１つ以上の凹所とを備え、
前記複数のコンテナのうちの１つである第１コンテナの前記方向ピンは、前記複数のコンテナのうちの１つである第２コンテナの前記凹所にスタック時に係合するように構成される、請求項１９に記載のＳＭＴシステム。
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
（ａ）第１の端部及び第２の端部を有するフレキシブルフィラメント、
（ｂ）第１および第２の連続サイド部材、及び、少なくとも１つのクロスバーを規定するように前記第２の連続サイド部材の長さに沿って位置づけられる少なくとも１つの切欠であって、前記少なくとも１つのクロスバーは、前記フレキシブルフィラメントの第１の端部に配置されている少なくとも１つの切欠、
（ｃ）前記フレキシブルフィラメントの第２の端部に配置されているパドル、及び
（ｄ）前記パドル上に配置されており、略切頭半円形部材を含むように形成されている第１のコネクタの残余を含む、プラスチック締結具。
【請求項２】
前記パドルは、前面、後面、上面、下面、左側面及び右側面を含むように形成されており、前記第１のコネクタの残余は、前記左側面及び前記右側面のいずれか一つに配置されている、請求項１に記載のプラスチック締結具。
【請求項３】
前記略切頭半円形部材は前面及び後面を含み、前記第１のコネクタの残余が前記パドルから遠くに延びるほど、前記前面は前記後面に向けて傾斜する、請求項１に記載のプラスチック締結具。
【請求項４】
第２のコネクタの残余をさらに含み、前記第２のコネクタの残余は、前記パドル上に配置されており、略切頭半円形部材を含むように形成されている、請求項１に記載のプラスチック締結具。
【請求項５】
前記パドルは、前面、後面、上面、下面、左側面及び右側面を含むように形成されていて、前記第１のコネクタの残余は、前記左側面及び前記右側面の一方に配置されており、前記第２のコネクタの残余は、前記左側面及び前記右側面の他方に配置されている、請求項４に記載のプラスチック締結具。
【請求項６】
それぞれの前記フレキシブルフィラメント、前記クロスバー、前記パドル及び前記第１のコネクタの残余は後面を有し、前記フレキシブルフィラメント、前記クロスバー、前記パドル及び第１のコネクタの残余の後面は同一平面上にある、請求項１に記載のプラスチック締結具。
【請求項７】
（ａ）第１の端部及び第２の端部を有する第１のフレキシブルフィラメント、
（ｂ）前記第１のフレキシブルフィラメントの第１の端部に配置されている第１のクロスバー、
（ｃ）前記第１のフレキシブルフィラメントの第２の端部に配置されている第１のパドル、
（ｄ）第１の端部及び第２の端部を有する第２のフレキシブルフィラメント、
（ｅ）前記第２のフレキシブルフィラメントの第１の端部に配置されている第２のクロスバー、
（ｆ）第２のフレキシブルフィラメントの第２の端部に配置されている第２のパドル、及び
（ｇ）切欠感度の特徴を含むように形成され、前記第１のパドルと前記第２のパドルとの間で延びて、相互連結する第１の切断可能なコネクタであって、前記第１のパドルと前記第２のパドルとの間の略中間地点で減少した断面積を有する第１の切断可能なコネクタを含み、
前記第１の切断可能なコネクタは、第１の略切頭半円形部材及び第２の略切頭半円形部材を含み、前記第１の略切頭半円形部材及び第２の略切頭半円形部材は、略平面の破損領域で互いに結合されている、プラスチック締結具アセンブリ。
【請求項８】
それぞれの前記第１のパドル及び前記第２のパドルは、前面、後面、上面、下面、左側面及び右側面を含むように形成されていて、前記第１の切断可能なコネクタは、前記第１のパドルの右側面と前記第２のパドルの左側面との間で延びて相互連結する、請求項７に記載のプラスチック締結具アセンブリ。
【請求項９】
前記第１の略切頭半円形部材及び第２の略切頭半円形部材とは、互いに鏡像である、請求項７に記載のプラスチック締結具アセンブリ。
【請求項１０】
前記第１の略切頭半円形部材及び第２の略切頭半円形部材のうち少なくとも一つは、前面及び後面を含み、前記略切頭半円形部材がそれぞれのパドルから遠くに延びるほど、前記前面は前記後面に向かって傾斜する、請求項７に記載のプラスチック締結具アセンブリ。
【請求項１１】
第２の切断可能なコネクタをさらに含み、前記第２の切断可能なコネクタは、前記第１のクロスバーと前記第２のクロスバーとの間で延びて相互連結する、請求項７に記載のプラスチック締結具アセンブリ。
【請求項１２】
前記プラスチック締結具アセンブリは、連続して連結された締結具ストックの長さである、請求項７に記載のプラスチック締結具アセンブリ。
【請求項１３】
（ａ）第１の連続サイド部材、
（ｂ）第２の連続サイド部材、及び
（ｃ）前記第１の連続サイド部材と第２の連続サイド部材とを相互連結する複数のクロス部材を含むプラスチック締結具アセンブリであって、
それぞれの前記クロス部材は、
（ｉ）第１の端部及び第２の端部を有するフレキシブルフィラメントであって、前記フレキシブルフィラメントの第１の端部は、前記第２の連続サイド部材と結合するフレキシブルフィラメント、
（ｉｉ）前記フレキシブルフィラメントの第２の端部に配置されるパドルであって、左側面及び右側面を含むパドル、
（ｉｉｉ）前記パドルの左側面に配置される第１のコネクタ部、及び
（ｉｖ）前記パドルの右側面に配置される第２のコネクタ部を含み、
一つのクロス部材の第１のコネクタ部は、他のクロス部材の第２のコネクタ部と断面積が減少した破損領域および平面形状の平らな領域とで結合され、それぞれの前記第１のコネクタ部及び前記第２のコネクタ部は、略切頭半円形部材を含む、プラスチック締結具アセンブリ。
【請求項１４】
前記第１のコネクタ部と前記第２のコネクタ部は、互いに鏡像である、請求項１３に記載のプラスチック締結具アセンブリ。
【請求項１５】
前記略切頭半円形部材は、前面及び後面を含み、前記略切頭半円形部材がそれぞれのパドルから遠くに延びるほど、前記前面は前記後面に向けて傾斜する、請求項１３に記載のプラスチック締結具アセンブリ。
【請求項１６】
前記プラスチック締結具アセンブリは、連続して連結された締結具ストックである、請求項１３に記載のプラスチック締結具アセンブリ。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ベンチュリー効果を利用して真空を発生させるためのデバイスであって、
吸込みチャンバーを画定するハウジングと、前記吸込みチャンバーに向かって収束すると共に前記吸込みチャンバーと流体連通する原動通路と、前記吸込みチャンバーから離れる方向に開拡すると共に前記吸込みチャンバーと流体連通する放出通路と、前記吸込みチャンバーと流体連通する吸込み通路と、を具備し、
前記原動通路は、単一の入り口および複数の原動出口と、前記単一の入口の下流で前記原動通路を複数の副通路へと細分化するための前記原動通路内のフレッチと、を有し、それぞれのものが前記複数の原動出口の一つにつながっており、
前記複数の原動出口は、ベンチュリー間隙を形成するために、前記放出通路の放出入口と概ね整列させられかつ前記放出入口から離間させられており、
前記フレッチは、テールであって、このテールの外面上を前記複数の原動出口からの流体流が流れるように前記複数の原動出口と整列状態で前記吸込みチャンバー内に配置されたテールをさらに備える、デバイス。
【請求項２】
前記フレッチは、略円錐形状本体であって、この本体の基部が前記複数の原動出口に近接して配置された略円錐形状本体と、前記略円錐形状本体の外面と前記原動通路の内面との間に延在し、これによって前記複数の副通路を画定する複数のリブと、を有する、請求項１に記載のデバイス。
【請求項３】
前記略円錐形状本体は、直線、放物線、双曲線または多項式曲線関数に従って、その基部に向かって収束する、請求項２に記載のデバイス。
【請求項４】
前記複数の原動出口の近くでの前記原動通路の内部形状および前記略円錐形状本体の前記基部の外部形状は共に円形または楕円形である、請求項２に記載のデバイス。
【請求項５】
前記複数のリブは前記略円錐形状本体の前記外面から突出する、請求項２に記載のデバイス。
【請求項６】
前記複数の原動出口の断面積は全体として、前記放出入口の断面積よりも小さい、請求項１に記載のデバイス。
【請求項７】
ベンチュリー効果を利用して真空を発生させるためのデバイスであって、
吸込みチャンバーを画定するハウジングと、前記吸込みチャンバーに向かって収束すると共に前記吸込みチャンバーと流体連通する原動通路と、前記吸込みチャンバーから離れる方向に開拡すると共に前記吸込みチャンバーと流体連通する放出通路と、前記吸込みチャンバーと流体連通する吸込み通路と、を具備し、
前記原動通路は、単一の入り口および複数の原動出口を有すると共に、前記単一の入口の下流で複数の副通路へと細分化され、それぞれのものが前記複数の原動出口の一つにつながっており、
前記複数の原動出口は、ベンチュリー間隙を形成するために、前記放出通路の放出入口と概ね整列させられかつ前記放出入口から離間させられており、
前記放出入口は前記吸込みチャンバー内に、ある距離だけ突出しており、これによって前記放出入口の外面の全体の周りに吸込み流を提供する、デバイス。
【請求項８】
前記フレッチは、テールであって、このテールの頂点に向かって前記テールの外面上を前記複数の原動出口からの流体流が流れるように前記複数の原動出口と整列状態で前記チャンバー内に配置されたテールをさらに備え、
前記テールの頂点は前記放出通路の前記放出入口の内側に配置される、請求項２に記載のデバイス。
【請求項９】
前記吸込みチャンバーは、前記放出入口の下方に、概ね丸みを帯びた内部底面を有する、請求項７に記載のデバイス。
【請求項１０】
前記吸込みチャンバーは、約１０ｍｍないし約２５ｍｍの内部幅を有する、請求項７に記載のデバイス。
【請求項１１】
前記原動通路および前記放出通路の両方は、双曲線または放物線関数のように、前記吸込みチャンバーから離れる方向に断面積が広がる、請求項１に記載のデバイス。
【請求項１２】
各副通路は、前記複数の原動出口のうちの一つの近くで断面が略矩形である、請求項１に記載のデバイス。
【請求項１３】
各副通路は、上から長手方向断面で見たときに双曲線関数のように、外側内壁を備えた主通路から前記複数の原動出口のうちの一つに向かって収束する、請求項１２に記載のデバイス。
【請求項１４】
各副通路は、上から長手方向断面で見たときに双曲線関数のように、内側内壁を備えた前記主通路から前記複数の原動出口のうちの一つに向かって収束する、請求項１３に記載のデバイス。
【請求項１５】
システムであって、
請求項１に記載のベンチュリーデバイスと、
前記原動通路に対して流体的に接続された圧力源と、
前記吸込み通路に対して流体的に接続された真空を必要とするデバイスと、
前記放出通路に対して流体的に接続された、前記圧力源よりも低い圧力と
を具備するシステム。
【請求項１６】
前記圧力源は、大気圧であるかあるいはターボチャージャーまたはスーパーチャージャーの圧縮機からのブースト圧である、請求項１５に記載のシステム。
【誤訳訂正書】
【提出日】令和1年7月19日(2019.7.19)
【誤訳訂正１】
【訂正対象書類名】明細書
【訂正対象項目名】００７２
【訂正方法】変更
【訂正の内容】
【００７２】
いくつかの実施形態では、リソグラフィ装置は、パターニングデバイス１１０のアライメントパラメータを測定する、図３に示す少なくとも１つのセンサ１３２、図４に示す少なくとも１つのセンサ１３２、図５に示す少なくとも１つのセンサ１３６、少なくとも１つのセンサ（例えば、図２で論じたイメージセンサＩＡＳ１およびＩＡＳ２）、またはそれらの任意の組み合わせを含む。